(57)【要約】【課題】脈拍数に関する情報を表示でき、かつ、容易に製造できる電子機器を提供すること。【解決手段】電子機器は、脈拍センサーと、予め設定された所定情報および脈拍数のレベルを示す脈拍レベルを表示可能な指針と、モード設定部と、脈拍レベル判定部と、表示制御部とを備え、脈拍レベル表示モードが設定された場合、脈拍レベル判定部は、脈拍レベルを判定し、表示制御部は、判定された脈拍レベルに応じた位置を指針に指示させることで、判定された脈拍レベルを表示させ、所定情報表示モードが設定された場合、表示制御部は、所定情報を指針に表示させ、指針が指示領域を移動する場合のステップ数は、所定情報に応じて設定され、脈拍レベルの段階数は、前記ステップ数以下に設定され、脈拍レベル判定部は、設定された脈拍レベルの段階数に応じて、脈拍レベルを判定することを特徴とする。【選択図】図３
2018007887.tif 000002
【特許請求の範囲】
【請求項１】
脈拍信号を検出する脈拍センサーと、
予め設定された所定情報および脈拍数のレベルを示す脈拍レベルを表示可能な指針と、
前記指針を駆動するステップモーターと、
脈拍レベル表示モードおよび所定情報表示モードを設定するモード設定部と、
前記脈拍センサーを作動し、前記脈拍信号を解析して、前記脈拍レベルを判定する脈拍レベル判定部と、
前記ステップモーターを制御して前記指針の移動を制御する表示制御部と、を備え、
前記脈拍レベル表示モードが設定された場合、
前記脈拍レベル判定部は、前記脈拍レベルを判定し、
前記表示制御部は、判定された前記脈拍レベルに応じた位置を前記指針に指示させることで、前記判定された脈拍レベルを表示させ、
前記所定情報表示モードが設定された場合、
前記表示制御部は、前記所定情報を前記指針に表示させ、
前記指針が指示領域を移動する場合のステップ数は、前記所定情報に応じて設定され、
前記脈拍レベルの段階数は、前記ステップ数以下に設定され、
前記脈拍レベル判定部は、設定された前記脈拍レベルの段階数に応じて、前記脈拍レベルを判定する
ことを特徴とする電子機器。
【請求項２】
請求項１に記載の電子機器において、
時針と、分針と、を備え、
前記指針は、前記所定情報としての秒を表示する秒針であり、
前記脈拍レベルの段階数は、６０以下に設定されている
ことを特徴とする電子機器。
【請求項３】
請求項１または請求項２に記載の電子機器において、
文字板を備え、
前記指針は、前記文字板の平面中心に設けられた指針軸に取り付けられている
ことを特徴とする電子機器。
【請求項４】
請求項１から請求項３のいずれか１項に記載の電子機器において、
操作装置を備え、
前記モード設定部は、前記操作装置の表示モード切替操作に応じて、前記脈拍レベル表示モードおよび前記所定情報表示モードを切り替えて設定する
ことを特徴とする電子機器。
【請求項５】
請求項４に記載の電子機器において、
前記電子機器は、外装ケースを備えた腕時計であり、
前記操作装置は、前記外装ケースの側面に設けられ、前記表示モード切替操作が行われるボタンを備え、
前記ボタンは、０時位置と６時位置とを結ぶ直線に対して、３時方向側に位置している
ことを特徴とする電子機器。
【請求項６】
請求項１から請求項５のいずれか１項に記載の電子機器において、
加速度センサーと、
前記加速度センサーを作動して、前記電子機器を装着したユーザーの体動状態を判定する体動判定部と、を備え、
前記モード設定部は、判定された前記体動状態が、予め設定された脈拍レベル表示条件に該当する場合、前記脈拍レベル表示モードを設定し、前記判定された体動状態が、予め設定された所定情報表示条件に該当する場合、前記所定情報表示モードを設定する
ことを特徴とする電子機器。
【請求項７】
請求項１から請求項６のいずれか１項に記載の電子機器において、
時針、分針、秒針と、
操作装置と、
前記脈拍センサーを作動し、前記脈拍信号を解析して、脈拍数を判定する脈拍数判定部と、を備え、
前記モード設定部は、前記操作装置の脈拍数表示操作に応じて、脈拍数表示モードを設定し、
前記脈拍数表示モードが設定された場合、
前記脈拍数判定部は、脈拍数を判定し、
前記表示制御部は、判定された脈拍数の百の位の値、十の位の値、一の位の値を、それぞれ、前記時針、前記分針、前記秒針を用いて表示させることで、前記判定された脈拍数を表示させる
ことを特徴とする電子機器。
【請求項８】
脈拍信号を検出する脈拍センサーと、
前記脈拍センサーからの前記脈拍信号に基づいて脈拍数を複数の段階で示す脈拍レベルを判定する脈拍レベル判定部と、
前記脈拍レベルを表示可能な指針と、
を備え、
前記指針は、前記脈拍レベルとは異なる所定情報も表示可能であり、
前記指針のステップ数は、前記所定情報に応じて設定され、
前記脈拍レベルの前記段階の数は、前記ステップ数以下に設定される
ことを特徴とする電子機器。
【発明の詳細な説明】
【技術分野】
【０００１】
本発明は、脈拍数に関する情報を表示する電子機器に関する。
【背景技術】
【０００２】
従来、脈拍数を計測して表示する電子機器が知られている（例えば、特許文献１参照）。
特許文献１の電子時計は、脈拍センサーと、脈拍目盛列が表記された文字板と、ステップモーターによって駆動され、脈拍目盛列を指示可能な脈拍針とを備える。当該電子時計は、脈拍センサーを用いて脈拍数を演算して求める。そして、脈拍目盛列における求めた脈拍数に応じた位置を、脈拍針によって指示することで、求めた脈拍数を表示する。
【先行技術文献】
【特許文献】
【０００３】
【特許文献１】特開昭６２−２７４２８８号公報
【発明の概要】
【発明が解決しようとする課題】
【０００４】
ところで、指針によって脈拍数を表示するには、指示領域を移動する場合のステップ数が比較的多い指針が必要となる。例えば、３６０度回転する指針の場合、０〜２４０の脈拍数を表示するには、１周を２４１ステップ以上で移動する指針が必要となる。つまり、一般的な時針、分針、秒針などでは、１周のステップ数が少なく、脈拍数を表示できない。
このため、時針、分針、秒針などを備えた電子時計を用いて、脈拍数を表示できる時計を製造する場合は、脈拍数を表示できる専用の指針を新たに設ける必要がある。または、既存の指針の輪列の構成を変更して、脈拍数を表示できるステップ数で指針が移動できるようにする必要がある。
このため、専用のムーブメントを用意する必要があり、脈拍数を表示する電子時計を容易に製造できないという問題がある。
【０００５】
本発明の目的は、脈拍数に関する情報を表示でき、かつ、容易に製造できる電子機器を提供することにある。
【課題を解決するための手段】
【０００６】
本発明の電子機器は、脈拍信号を検出する脈拍センサーと、予め設定された所定情報および脈拍数のレベルを示す脈拍レベルを表示可能な指針と、前記指針を駆動するステップモーターと、脈拍レベル表示モードおよび所定情報表示モードを設定するモード設定部と、前記脈拍センサーを作動し、前記脈拍信号を解析して、前記脈拍レベルを判定する脈拍レベル判定部と、前記ステップモーターを制御して前記指針の移動を制御する表示制御部と、を備え、前記脈拍レベル表示モードが設定された場合、前記脈拍レベル判定部は、前記脈拍レベルを判定し、前記表示制御部は、判定された前記脈拍レベルに応じた位置を前記指針に指示させることで、前記判定された脈拍レベルを表示させ、前記所定情報表示モードが設定された場合、前記表示制御部は、前記所定情報を前記指針に表示させ、前記指針が指示領域を移動する場合のステップ数は、前記所定情報に応じて設定され、前記脈拍レベルの段階数は、前記ステップ数以下に設定され、前記脈拍レベル判定部は、設定された前記脈拍レベルの段階数に応じて、前記脈拍レベルを判定することを特徴とする。
【０００７】
本発明では、例えば、通常時、所定情報表示モードが設定されている。そして、モード設定部は、電子時計が備える操作装置の表示モード切替操作が行われた場合や、電子時計が備える加速度センサーなどを用いて電子時計を装着したユーザーが運動していると判定された場合などに、脈拍レベル表示モードを設定する。
脈拍レベルは、例えば、０〜２４０の脈拍数の範囲を、複数段階で分けた場合の各段階を示す。
また、所定情報は、例えば秒であり、指針は、１周で０秒〜５９秒を表示する。この場合、指針が指示領域を移動する場合のステップ数は、例えば６０に設定される。
本発明では、脈拍レベルの段階数は、指針が指示領域を移動する場合のステップ数以下に設定されている。例えば、当該ステップ数が６０の場合は、脈拍レベルの段階数は６０以下に設定されている。
そして、脈拍レベル判定部は、設定された脈拍レベルの段階数に応じて、脈拍レベルを判定する。
このように本発明によれば、脈拍レベルの段階数は、指針が指示領域を移動する場合のステップ数以下に設定されているため、前記ステップ数が、所定情報に応じて設定されていても、当該指針によって、脈拍レベルを設定された段階で表示できる。
例えば、指針が所定情報のみを表示し、指針が指示領域を移動する場合のステップ数が、所定情報に応じて設定されている電子機器が既に存在する場合について説明する。
この場合、本発明によれば、脈拍レベルを表示するための専用の指針を新たに設けたり、指針を駆動する輪列の構成を変更することなく、脈拍レベルを表示させることができるため、当該電子機器のムーブメントを用いて、脈拍レベルを表示できる電子機器を製造できる。このため、脈拍レベルを表示する電子機器を容易に製造できる。
また、本発明によれば、脈拍信号を解析して、例えば、０〜２４０の脈拍数の範囲を１２段階で分けた脈拍レベルを判定すればよいので、０〜２４０の脈拍数を１拍単位で判定する場合と比べて、脈拍信号を解析する際の分解能を低くでき、脈拍信号の解析にかかる消費電力を低減できる。
【０００８】
本発明の電子機器において、時針と、分針と、を備え、前記指針は、前記所定情報としての秒を表示する秒針であり、前記脈拍レベルの段階数は、６０以下に設定されていることが好ましい。
【０００９】
本発明では、例えば、指針は１周を６０ステップで移動して０〜５９秒を表示する秒針である。これにより、脈拍レベルの段階数が、６０以下に設定されている。
秒針は、例えば時針や分針と比べて、針の長さ寸法が長いため、脈拍レベルが変化した場合の指針の移動量を大きくでき、脈拍レベルをダイナミックに表示できる。
また、秒針は、専用のステップモーターによって駆動されることが多いため、例えば、時計回りと反時計回りの両方向に移動させ易い。このため、値が上下し易い脈拍レベルを表示させるのに適している。
【００１０】
本発明の電子機器において、文字板を備え、前記指針は、前記文字板の平面中心に設けられた指針軸に取り付けられていることが好ましい。
【００１１】
文字板の平面中心に設けられた指針軸に取り付けられた指針は、前記平面中心から外周方向に設けられた指針軸に取り付けられる指針と比べて、長さ寸法を長くできる。このため、当該指針によって脈拍レベルを表示することで、脈拍レベルが変化した場合の指針の移動量を大きくでき、脈拍レベルをダイナミックに表示できる。
【００１２】
本発明の電子機器において、操作装置を備え、前記モード設定部は、前記操作装置の表示モード切替操作に応じて、前記脈拍レベル表示モードおよび前記所定情報表示モードを切り替えて設定することが好ましい。
【００１３】
通常時は、例えば、所定情報表示モードが設定されている。
本発明によれば、ユーザーは、例えば、運動する場合など、脈拍レベルを表示させたいと考えたときに、操作装置の表示モード切替操作を行うことで、脈拍レベルを表示させることができる。また、運動を止めた場合など、脈拍レベルを表示させなくてもよいと考えたときに、操作装置の表示モード切替操作を再度行うことで、脈拍レベルを表示させないようにできる。
これによれば、ユーザーが脈拍レベルを表示させたいと考えている間だけ、脈拍レベルを表示させることができる。
【００１４】
本発明の電子機器において、前記電子機器は、外装ケースを備えた腕時計であり、前記操作装置は、前記外装ケースの側面に設けられ、前記表示モード切替操作が行われるボタンを備え、前記ボタンは、０時位置と６時位置とを結ぶ直線に対して、３時方向側に位置していることが好ましい。
【００１５】
本発明によれば、ユーザーは、腕時計を左腕に装着した場合、容易に、親指で腕時計を押え、親指以外の指でボタンを押すことができるため、腕時計を左腕に装着するユーザーに対して、腕時計に脈拍レベルを表示させたり、表示させなかったりする操作の操作性を向上できる。
【００１６】
本発明の電子機器において、加速度センサーと、前記加速度センサーを作動して、前記電子機器を装着したユーザーの体動状態を判定する体動判定部と、を備え、前記モード設定部は、判定された前記体動状態が、予め設定された脈拍レベル表示条件に該当する場合、前記脈拍レベル表示モードを設定し、前記判定された体動状態が、予め設定された所定情報表示条件に該当する場合、前記所定情報表示モードを設定することが好ましい。
【００１７】
体動状態とは、ユーザーが運動しているか否かの状態である。ユーザーの体動状態は、加速度センサーが検出する検出信号に反映されるため、当該検出信号に基づいて、体動状態を検出できる。
本発明によれば、例えば、ユーザーが運動を開始した場合に、ユーザーが操作装置を操作しなくても、自動的に脈拍レベルを表示でき、ユーザーが運動を止めた場合に、ユーザーが操作装置を操作しなくても、自動的に脈拍レベルの表示を終了し、所定情報を表示できる。このため、電子機器の使い易さを向上できる。
【００１８】
本発明の電子機器において、時針、分針、秒針と、操作装置と、前記脈拍センサーを作動し、前記脈拍信号を解析して、脈拍数を判定する脈拍数判定部と、を備え、前記モード設定部は、前記操作装置の脈拍数表示操作に応じて、脈拍数表示モードを設定し、前記脈拍数表示モードが設定された場合、前記脈拍数判定部は、脈拍数を判定し、前記表示制御部は、判定された脈拍数の百の位の値、十の位の値、一の位の値を、それぞれ、前記時針、前記分針、前記秒針を用いて表示させることで、前記判定された脈拍数を表示させることが好ましい。
【００１９】
本発明によれば、ユーザーは、脈拍レベルよりも詳細な情報として脈拍数を表示させたいと考えた場合、操作装置の脈拍数表示操作を行うことで、脈拍数を表示させることができる。
本発明では、例えば、時針によって脈拍数の百の位の値が表示され、分針によって脈拍数の十の位の値が表示され、秒針によって、脈拍数の一の位の値が表示される。各指針は、例えば、文字板の同じ位置に設けられた指針軸に取り付けられ、０から１１までの時の値を示す位置のうち、位の値と対応する時の値を示す位置を指示することで、位の値を表示する。例えば、１分間の脈拍数が１３５の場合、時針が１時位置を指示し、分針が３時位置を指示し、秒針が５時位置を指示する。
これによれば、電子機器が、時針、分針、秒針を備えていれば、脈拍数を表示するための表示機構を別途設ける必要がないため、電子機器の構成を簡略化でき、脈拍数を表示する電子機器を容易に製造できる。
【００２０】
本発明の電子機器は、脈拍信号を検出する脈拍センサーと、前記脈拍センサーからの前記脈拍信号に基づいて脈拍数を複数の段階で示す脈拍レベルを判定する脈拍レベル判定部と、前記脈拍レベルを表示可能な指針と、を備え、前記指針は、前記脈拍レベルとは異なる所定情報も表示可能であり、前記指針のステップ数は、前記所定情報に応じて設定され、前記脈拍レベルの前記段階の数は、前記ステップ数以下に設定されることを特徴とする。
【００２１】
本発明によれば、脈拍レベルの段階の数は、指針のステップ数以下に設定されているため、当該ステップ数が、所定情報に応じて設定されていても、指針によって、脈拍レベルを設定された段階で表示できる。
このため、脈拍レベルを表示する電子機器を容易に製造できる。
また、本発明によれば、脈拍数を１拍単位で判定する場合と比べて、脈拍信号を解析する際の分解能を低くでき、脈拍信号の解析にかかる消費電力を低減できる。
【図面の簡単な説明】
【００２２】
【図１】本発明に係る第１実施形態の電子時計の正面図。
【図２】第１実施形態における電子時計の断面図。
【図３】第１実施形態における電子時計の回路ブロック図。
【図４】第１実施形態における脈拍レベル表示処理を示すフローチャート。
【図５】脈拍信号の一例を示す図。
【図６】周波数スペクトルの一例を示す図。
【図７】第１実施形態における周波数分解能と脈拍数の段階数との関係を示す図。
【図８】第１実施形態における脈拍数と脈拍レベルとの関係を示す図。
【図９】第１実施形態における脈拍レベルの表示例を示す図。
【図１０】本発明に係る第２実施形態の電子時計の回路ブロック図。
【図１１】第２実施形態における脈拍レベル表示処理を示すフローチャート。
【図１２】第２実施形態における体動の検出処理を示すフローチャート。
【図１３】第２実施形態におけるＸ軸、Ｙ軸、Ｚ軸方向の加速度と、３軸合成加速度を表した図。
【図１４】本発明に係る第３実施形態の電子時計の回路ブロック図。
【図１５】第３実施形態における脈拍レベル表示処理を示すフローチャート。
【図１６】第３実施形態における脈拍数判定表示処理を示すフローチャート。
【図１７】第３実施形態における脈拍数の表示例を示す図。
【図１８】本発明に係る他の実施形態の脈拍数と脈拍レベルとの関係を示す図。
【図１９】他の実施形態における脈拍数と脈拍レベルとの関係を示す図。
【図２０】他の実施形態における脈拍数と脈拍レベルとの関係を示す図。
【図２１】他の実施形態における脈拍レベルの表示構造を示す図。
【図２２】他の実施形態における脈拍レベルの表示構造を示す図。
【図２３】他の実施形態における脈拍レベルの表示構造を示す図。
【図２４】他の実施形態における脈拍数の表示構造を示す図。
【発明を実施するための形態】
【００２３】
以下、本発明の実施形態に係る電子機器としての電子時計を説明する。
［第１実施形態］
図１は、電子時計１の正面図である。図２は、電子時計１の断面図である。
電子時計１は、ユーザーの手首に装着される腕時計である。電子時計１は、脈拍数のレベルを示す脈拍レベルを表示する機能を備えている。例えば、ユーザーは、電子時計１が表示する脈拍レベルを確認し、脈拍数を目的とする範囲に維持しながら運動を行うことで、健康維持などの目的にあわせた運動を効果的に行うことができる。
図１、図２に示すように、電子時計１は、外装ケース３３と、裏蓋３４と、カバーガラス３５とを備えている。外装ケース３３は、金属で形成された円筒状のケース本体３１に、セラミックで形成されたベゼル３２が嵌合されて構成されている。このベゼル３２の内周側に、プラスチックで形成された円環状のダイヤルリング１１を介して、円盤状の文字板１２が配置されている。
ケース本体３１の側面には、文字板１２の平面中心より、２時方向の位置にＡボタン３６が設けられ、４時方向の位置にＢボタン３７が設けられ、３時方向の位置にリューズ３８が設けられている。
【００２４】
電子時計１は、図２に示すように、金属製のケース本体３１の２つの開口のうち、表面側の開口は、ベゼル３２を介してカバーガラス３５で塞がれており、裏面側の開口は金属で形成された裏蓋３４で塞がれている。
ケース本体３１および裏蓋３４には、ＢＳ（真鍮）、ＳＵＳ（ステンレス鋼）、チタンなどの金属材料が利用される。
裏蓋３４には、開口部３４１が形成されており、この開口部３４１を塞ぐように透明ガラス３９が設けられている。
【００２５】
図２に示すように、外装ケース３３、裏蓋３４、カバーガラス３５で囲まれた空間内には、ダイヤルリング１１と、文字板１２と、太陽電池１３と、駆動機構１４と、回路基板１５，１６と、制御装置１７と、加速度センサー１８と、脈拍センサー１９と、二次電池２１とが収納されている。
【００２６】
ダイヤルリング１１は、リング状に形成されている。
文字板１２は、プラスチックなどの光透過性の材料で形成され、カバーガラス３５との間に、時針２６、分針２７、秒針２８を備え、ダイヤルリング１１の内側に配置されている。各指針２６〜２８は、文字板１２の平面中心に設けられた指針軸に取り付けられている。
【００２７】
文字板１２と地板２２との間には、光発電を行う太陽電池１３が備えられている。太陽電池１３は、光エネルギーを電気エネルギーに変換する光発電を行う光発電素子である。太陽電池１３は、カバーガラス３５および文字板１２を透過した光を受光して発電することができる。
【００２８】
文字板１２、太陽電池１３、地板２２には、指針２６〜２８の指針軸が貫通する穴が形成されている。また、文字板１２および太陽電池１３には、カレンダー小窓２４の開口部が形成されている。これにより、カレンダー小窓２４からカレンダー車２９が視認される。
【００２９】
駆動機構１４は、地板２２に取り付けられ、回路基板１５で裏蓋３４側から覆われている。駆動機構１４は、ステップモーター１４１と歯車などの輪列とを有し、当該ステップモーター１４１が当該輪列を介して指針軸を回転させることにより各指針２６〜２８およびカレンダー車２９を駆動する。
駆動機構１４は、具体的には、第１〜第３駆動機構を備える。第１駆動機構は時針２６および分針２７を駆動し、第２駆動機構は秒針２８を駆動し、第３駆動機構はカレンダー車２９を駆動する。
【００３０】
回路基板１５は、裏蓋３４側に制御装置１７を備えている。
回路基板１５の裏蓋３４側には、回路基板１６が設けられている。回路基板１６は、配線部材２３によって回路基板１５と接続されている。回路基板１６は、表面側（カバーガラス３５側）に加速度センサー１８を備えている。
また、二次電池２１が、回路基板１５と回路基板１６との間に設けられている。二次電池２１は、電子時計１の電源であり、太陽電池１３が発電した電力によって充電される。二次電池２１としては、リチウムイオン電池などを例示できる。
【００３１】
回路基板１６は、裏蓋３４側に脈拍センサー１９を備えている。脈拍センサー１９は、ＬＥＤ１９Ａとフォトダイオード１９Ｂとで構成されている。
ＬＥＤ１９Ａは、光を出射し、出射された光は、透明ガラス３９を透過して、電子時計１を装着したユーザーの手首に照射される。そして、手首で反射された反射光は、透明ガラス３９を透過して、電子時計１の内部に入射する。フォトダイオード１９Ｂは、透明ガラス３９を透過した反射光を受光する。
【００３２】
本実施形態では、秒針２８の１周のステップ数、すなわち、秒針２８が指示領域を移動する場合のステップ数は、秒針２８が表示する所定情報としての秒に応じて設定されている。具体的には、秒針２８は１周して０〜５９秒を表示するため、前記ステップ数は、０〜５９秒を表示するための最小のステップ数である６０に設定されている。
また、秒針２８は、０から１１までの時の値を示す位置のうち、脈拍レベルと対応する時の値を示す位置を指示することで、脈拍レベルを表示する。例えば、脈拍レベルが「０」の場合は、０時位置を指示し、脈拍レベルが「１」の場合は、１時位置を指示し、脈拍レベルが「１１」の場合は、１１時位置を指示する。
なお、例えばベゼル３２の表面には、各時に対応した位置に、対応する脈拍レベルを代表する脈拍数が表記されていてもよい。
また、０時位置は、後述するように、脈拍数の算出に失敗した場合や、脈拍レベル表示モードが設定された直後、秒針２８によって指示される。このため、例えばベゼル３２の０時位置に対応した表面に、脈拍数の算出に失敗したことを表す「ＮＧ」や「Ｎ」など英字が表記されていたり、これから脈拍レベルが表示されることを表す「ready」などの英字が表記されていてもよい。
【００３３】
図３は、電子時計１の回路ブロック図である。
電子時計１は、図３に示すように、ＣＰＵ（中央処理装置）などで構成される制御装置１７、計時装置４１、ＲＡＭ（Random Access Memory）やＲＯＭ（Read Only Memory）で構成される記憶装置４２、操作装置４３、脈拍センサー１９、加速度センサー１８、駆動機構１４、表示装置４４を備えている。これらの各装置は、データバスを介してデータを送受信する。なお、記憶装置４２は、制御装置１７の内部に設けられていてもよい。
また、電子時計１では、太陽電池１３によって発電された電力は、充電回路４５を介して二次電池２１に供給される。
【００３４】
操作装置４３は、Ａボタン３６、Ｂボタン３７、リューズ３８を備えて構成される。
表示装置４４は、指針２６〜２８、カレンダー車２９を備えて構成される。
計時装置４１は、二次電池２１に蓄積された電力で駆動される水晶振動子等を備え、水晶振動子の発振信号に基づく基準信号を用いて時刻を計時する。
記憶装置４２には、制御装置１７が実行するプログラムや、プログラムの実行に必要なデータなどが記憶される。
【００３５】
脈拍センサー１９は、制御装置１７によって制御され、ＬＥＤ１９Ａによって光を出射し、ユーザーの手首で反射された反射光をフォトダイオード１９Ｂによって受光することで、ユーザーの脈動が反映された脈拍信号を検出する。そして、脈拍信号を制御装置１７に出力する。
加速度センサー１８は、制御装置１７によって制御され、加速度を検出し、検出信号を制御装置１７に出力する。
【００３６】
制御装置１７は、モード設定部１７１、脈拍レベル判定部１７２、表示制御部１７３を備えている。
モード設定部１７１は、表示モードを設定する。脈拍レベル判定部１７２は、脈拍センサー１９からの脈拍信号に基づいて脈拍レベルを判定する。つまり、脈拍レベル判定部１７２は、脈拍センサー１９から出力される脈拍信号を解析して脈拍数を算出し、算出した脈拍数に応じて脈拍レベルを判定する。表示制御部１７３は、駆動機構１４のステップモーター１４１を制御して、指針２６〜２８およびカレンダー車２９の移動を制御する。
なお、制御装置１７の機能の詳細については、次の脈拍レベル表示処理で説明する。
【００３７】
［脈拍レベル表示処理］
図４は、脈拍レベル表示処理を示すフローチャートである。
モード設定部１７１は、通常、所定情報表示モードとしての時刻表示モードを設定している。時刻表示モードが設定されている場合、表示制御部１７３は、時針２６に時刻の時を表示させ、分針２７に時刻の分を表示させ、秒針２８に時刻の秒を表示させる。
モード設定部１７１は、Ａボタン３６が押されたか否かの判定（Ｓ１１）を繰り返し行い、Ａボタン３６が押され、表示モード切替操作が行われたと判定した場合、脈拍レベル表示モードを設定し、処理をＳ１２に進める。
Ｓ１２では、脈拍レベル判定部１７２が、脈拍センサー１９を作動させ、脈拍レベルの判定処理を開始する。また、表示制御部１７３は、秒針２８を、０時位置に移動させる。
【００３８】
脈拍センサー１９が作動すると、ＬＥＤ１９Ａは、光を出射する（Ｓ１３）。出射された光は、透明ガラス３９を透過して、ユーザーの手首に照射される。照射された光は、表皮、真皮および皮下組織で拡散または散乱する。その後、血管に到達し、血管で反射される。血管での反射光は、皮下組織、真皮および表皮で拡散または散乱し、その後、透明ガラス３９を透過して電子時計１の内部に入射する。フォトダイオード１９Ｂは、電子時計１の内部に入射した前記反射光を受光する（Ｓ１４）。
ここで、ＬＥＤ１９Ａが出射した光は、血管で部分的に吸収される。このため、脈動などの血流変化の影響により、血管での吸収率が変化すると、血管での反射光の光量も変化し、フォトダイオード１９Ｂが受光する反射光の光量も変化する。従って、フォトダイオード１９Ｂは、前記反射光を受光することで、ユーザーの脈動が反映された脈拍信号を検出できる。
そして、脈拍センサー１９は、フォトダイオード１９Ｂが検出した脈拍信号を制御装置１７に出力する。
【００３９】
次に、脈拍レベル判定部１７２は、脈拍センサー１９から出力される脈拍信号を解析して、脈拍数を算出する。
まず、脈拍レベル判定部１７２は、図５に示すような予め設定された計測時間の脈拍信号を、予め設定されたサンプリング周波数でサンプリングする。
そして、脈拍レベル判定部１７２は、サンプリング結果に基づいて周波数解析を行い、図６に示すような周波数スペクトルを求める。この解析には、例えば、高速フーリエ変換が用いられる。
そして、脈拍レベル判定部１７２は、周波数スペクトルに基づいて、最も信号強度の大きい周波数を、脈拍周波数として特定し、当該周波数を６０倍することで、脈拍数（１分間の脈拍の数）を算出する（Ｓ１５）。
より詳細には、最も信号強度の大きいスペクトルの番号に、周波数解析における周波数分解能Δｆ（Ｈｚ）を掛けた値を６０倍することで脈拍数を算出する。なお、小数点以下の値は切り捨ててもよいし、一の位に四捨五入してもよい。
【００４０】
ここで、周波数解析における周波数分解能Δｆ（Ｈｚ）は、サンプリング周波数ｆｓ（Ｈｚ）を、サンプリング点数Ｎで割ることで求められる。すなわち、周波数分解能Δｆは、Δｆ＝ｆｓ／Ｎの式で求められる。そして、周波数分解能Δｆを、脈拍数の分解能（ｂｐｍ）に換算した値は、周波数分解能Δｆを６０倍した値となる。
脈拍数を正しく算出するには、脈拍数の分解能（脈拍数分解能）を１以下にする必要がある。ただし、この場合は、例えば、サンプリング周波数ｆｓを６４Ｈｚにするなど、高い値に設定する必要があるため、ＣＰＵの動作回数が多くなり、消費電力が大きくなってしまう。
このため、本実施形態では、想定される脈拍数である０〜２４０を、複数の段階に分けた脈拍レベルを予め設定し、算出した脈拍数を、脈拍レベルに変換して表示させる。これによれば、脈拍数分解能を低くできるため、サンプリング周波数ｆｓも低く設定できる。
【００４１】
図７は、サンプリング周波数ｆｓ（Ｈｚ）と、計測時間（Ｓ）と、サンプリング点数Ｎと、周波数分解能Δｆ（Ｈｚ）と、脈拍数分解能（ｂｐｍ）と、表示可能な脈拍レベルの段階数との関係を示す図である。
図７に示すように、脈拍レベルの段階数を少なくするほど、脈拍数分解能を低くでき、サンプリング周波数ｆｓも低く設定できる。
例えば、脈拍レベルを３２段階で表示する場合は、脈拍数分解能を７．５ｂｐｍ（＝２４０／３２）とすることができ、計測時間を８秒、サンプリング周波数ｆｓを８Ｈｚとすることができる。脈拍レベルを１２段階で表示する場合は、脈拍数分解能を２０ｂｐｍ（＝２４０／１２）とすることができ、計測時間を３秒、サンプリング周波数ｆｓを３Ｈｚとすることができる。
なお、脈拍数を表示する場合は、例えば、脈拍数分解能を例えば約０．９３に設定し、計測時間を６４秒、サンプリング周波数ｆｓを６４Ｈｚに設定する必要がある。
本実施形態では、脈拍レベルを１２段階で表示するようにし、サンプリング周波数ｆｓを３Ｈｚ、計測時間を３秒に設定している。
【００４２】
脈拍レベル判定部１７２は、Ｓ１５で算出した脈拍数から、脈拍レベルを判定する（Ｓ１６）。
脈拍レベルは、０〜２４０の脈拍数を複数段階で分けた場合の各段階を示す。
本実施形態では、脈拍レベルの段階数は、秒針２８の１周のステップ数、すなわち、秒針２８が指示領域を移動する場合のステップ数以下に設定されている。
秒針２８の１周のステップ数は、上述したように、１周で０秒から５９秒を表示するため、６０に設定されている。
このため、本実施形態では、脈拍レベルの段階数は、６０以下に設定されている。具体的には、１２に設定されている。
【００４３】
具体的には、脈拍レベル判定部１７２は、図８に示す脈拍数と脈拍レベルとの関係に基づいて、Ｓ１５で算出した脈拍数から、脈拍レベルを判定する。
本実施形態では、図８に示すように、０〜２４０の脈拍数が、等間隔で１２段階の脈拍レベル「０」〜「１１」に分けられている。例えば、脈拍レベル「３」は、脈拍数が６１以上８０以下であることを示している。また、図中の「ＮＧ」は、脈拍数の算出に失敗した場合を示し、この場合は、脈拍レベル「０」が割り当てられている。
【００４４】
次に、表示制御部１７３は、前回、秒針２８を制御して脈拍レベルを表示させたタイミングから、所定時間経過したか否かを判定する（Ｓ１７）。所定時間は、例えば、４秒に設定されている。この判定処理は、前記タイミングから所定時間経過するまで繰り返し行われる。
Ｓ１７でＹＥＳと判定された場合、表示制御部１７３は、判定された脈拍レベルに対応する秒針２８の指示位置が、現在の秒針２８の指示位置と異なるか否かを判定する（Ｓ１８）。
Ｓ１８でＹＥＳと判定された場合、表示制御部１７３は、判定された脈拍レベルに対応する位置に、秒針２８を移動させ（Ｓ１９）、判定された脈拍レベルを表示させる。
すなわち、表示制御部１７３は、０から１１までの時の値を示す位置のうち、脈拍レベルと対応する時の値を示す位置を秒針２８に指示させる。例えば、脈拍レベルが「３」の場合は、図９に示すように、秒針２８に３時位置を指示させる。
ここで、本実施形態では、秒針２８は正転方向（時計回り）および逆転方向（反時計回り）の両方向に移動可能に構成されており、移動して脈拍レベルを表示する際は、消費電力を低減するため、移動量が少なくなる方向に移動する。なお、秒針２８は、正転方向にのみ回転してもよい。この場合は、脈拍レベルが低下したとき、秒針２８が、例えば、３時位置から時計回りに２時位置まで回転するなど、大きく移動するため、脈拍レベルが低下したことを、分かり易く表示できる。
【００４５】
Ｓ１９の処理の後、または、Ｓ１８でＮＯと判定された場合、モード設定部１７１は、Ａボタン３６が押されたか否かを判定する（Ｓ２０）。
Ｓ２０でＮＯと判定された場合、モード設定部１７１は、脈拍レベル表示モードを継続し、処理をＳ１５に進める。これにより、脈拍レベルの判定処理が再度実行される。一方、Ｓ２０でＹＥＳと判定された場合、すなわち、Ａボタン３６が押され、表示モード切替操作が行われたと判定された場合、モード設定部１７１は、脈拍レベル表示モードを解除し、時刻表示モードを設定する。
時刻表示モードが設定されると、脈拍レベル判定部１７２は、脈拍センサー１９の動作を終了させ、脈拍レベルの判定処理を終了し（Ｓ２１）、表示制御部１７３は、秒針２８を制御して時刻の秒を指示させる。そして、制御装置１７は、脈拍レベル表示処理を終了する。
なお、脈拍レベル表示モードが設定されている間、表示制御部１７３は、時針２６および分針２７を運針させて時刻の時分を表示させてもよいし、停止させてもよい。
【００４６】
［第１実施形態の作用効果］
脈拍レベルの段階数は、秒針２８の１周のステップ数以下に設定されている。これによれば、秒針２８の１周のステップ数が、秒に応じて設定されていても、秒針２８によって、脈拍レベルを設定された段階で表示できる。
例えば、秒針２８が秒のみを表示し、１周のステップ数が、秒に応じて６０に設定されている電子時計が既に存在する場合について説明する。
この場合、本実施形態によれば、脈拍レベルを表示するための専用の指針を新たに設けたり、秒針２８を駆動する輪列の構成を変更することなく、脈拍レベルを表示させることができるため、当該電子時計のムーブメントを用いて、脈拍レベルを表示できる電子時計を製造できる。このため、脈拍レベルを表示する電子時計を容易に製造できる。
また、秒針２８によって脈拍レベルを表示するため、液晶パネルやＬＥＤなどによって構成されるデジタル表示装置によって脈拍レベルを表示する場合と比べて、脈拍レベルを直感的に分かり易く表示できる。また、デザイン性を向上でき、消費電力も低減できる。
【００４７】
脈拍レベル判定部１７２は、脈拍信号を解析して、０〜２４０の脈拍数の範囲を１２段階で分けた脈拍レベルを判定すればよいので、０〜２４０の脈拍数を１拍単位で判定する場合と比べて、脈拍信号を解析する際の分解能を低くでき、脈拍信号の解析にかかる消費電力を低減できる。また、脈拍センサー１９に、精度がそれほど高くない安価なセンサーを用いることもできる。
【００４８】
秒針２８は、例えば時針２６や分針２７と比べて、針の長さ寸法が長い。また、秒針２８は、文字板１２の平面中心に設けられた指針軸に取り付けられているため、例えば、前記平面中心から外周方向に設けられた指針軸に取り付けられる指針と比べて、長さ寸法を長くできる。このため、秒針２８によって脈拍レベルを表示することで、脈拍レベルが変化した場合の指針の移動量を大きくでき、脈拍レベルをダイナミックに表示できる。
また、秒針２８は、専用のステップモーターによって駆動されることが多いため、時計回りと反時計回りの両方向に移動させ易い。このため、値が上下し易い脈拍レベルを表示させるのに適している。
【００４９】
ユーザーは、例えば、運動する場合など、脈拍レベルを表示させたいと考えたときに、Ａボタン３６を押すことで、脈拍レベルを表示させることができる。また、運動を止めた場合など、脈拍レベルを表示させなくてもよいと考えたときに、Ａボタン３６を再度押すことで、脈拍レベルを表示させないようにできる。
これによれば、ユーザーが脈拍レベルを表示させたいと考えている間だけ、脈拍レベルを表示させることができる。
また、常時、脈拍レベルを表示させる場合と比べて、消費電力を低減できる。
【００５０】
表示モード切替操作が行われるＡボタン３６は、０時位置と６時位置とを結ぶ直線に対して、３時方向側に位置している。これによれば、ユーザーは、電子時計１を左腕に装着した場合、容易に、親指で電子時計１を押え、親指以外の指でＡボタン３６を押すことができるため、電子時計１を左腕に装着するユーザーに対して、電子時計１に脈拍レベルを表示させたり、表示させなかったりする操作の操作性を向上できる。
【００５１】
［第２実施形態］
第１実施形態では、脈拍レベル表示モードは、時刻表示モードが設定されている場合に、Ａボタン３６が押されることで設定されているが、第２実施形態では、電子時計を装着したユーザーの体動状態が、予め設定された脈拍レベル表示条件に該当した場合にも設定される。
以下、第２実施形態について説明するが、第１実施形態と同じ構成については同じ符号を付けて説明は省略する。
【００５２】
図１０に示すように、第２実施形態の電子時計１Ａの制御装置１７Ａは、加速度センサー１８を作動させ、加速度センサー１８から出力される検出信号に基づいて、電子時計１Ａを装着したユーザーの体動状態を判定する体動判定部１７４を備えている。
そして、第２実施形態における脈拍レベル表示処理では、図１１に示すように、Ｓ１１〜Ｓ２１，Ｓ３１，Ｓ３２の処理が実行される。Ｓ１１〜Ｓ２１は、第１実施形態と同じため、説明は省略する。
第２実施形態の脈拍レベル表示処理では、Ｓ１１でＡボタン３６が押されたか否かの判定が行われ、ＮＯと判定された場合、体動判定部１７４は、体動を検出している継続時間が一定期間（例えば１分間）以上か否かを判定する（Ｓ３１）。Ｓ３１の処理は、Ａボタン３６が押されてＳ１１でＹＥＳと判定されるか、Ｓ３１でＹＥＳと判定されるまで繰り返し行われる。
【００５３】
図１２は、体動判定部１７４が、体動が検出されたか否かを判定する処理を示すフローチャートである。
体動判定部１７４は、加速度センサー１８から出力された検出信号に基づいて、図１３に示すように、Ｘ軸、Ｙ軸、Ｚ軸方向の加速度を検出し、これらの加速度を合計した３軸合成加速度を計算する（Ｓ４１）。Ｚ軸は、鉛直方向の軸であり、Ｘ軸は、Ｚ軸と直交する一方向の軸であり、Ｙ軸は、Ｚ軸およびＸ軸と直交する方向の軸である。
３軸合成加速度は、Ｘ軸の加速度を加速度Ｘ、Ｙ軸の加速度を加速度Ｙ、Ｚ軸の加速度を、加速度Ｚとした場合、次式（１）で求められる。
【００５４】
３軸合成加速度＝（加速度Ｘ２＋加速度Ｙ２＋加速度Ｚ２）１／２      （１）
【００５５】
そして、体動判定部１７４は、求めた３軸合成加速度が、予め設定された第１閾値ＴＨ１以上、かつ、第１閾値ＴＨ１より大きい予め設定された第２閾値ＴＨ２以下か否かを判定する（Ｓ４２）。
Ｓ４２でＹＥＳと判定された場合、体動判定部１７４は、体動なしと判定する（Ｓ４３）。一方、Ｓ４２でＮＯと判定された場合、体動判定部１７４は、体動あり（検出）と判定する（Ｓ４４）。
【００５６】
図１１に戻り、Ｓ３１でＹＥＳと判定された場合、ユーザーが運動していると判断できるため、体動判定部１７４は、脈拍レベル表示条件に該当したと判定し、処理をＳ１２に進める。これにより、脈拍レベル判定処理が実行される。
【００５７】
また、Ｓ２０でＡボタン３６が押されたか否かの判定が行われ、ＮＯと判定された場合、体動判定部１７４は、体動を検出していない継続時間が一定期間（例えば５分間）以上か否かを判定する（Ｓ３２）。Ｓ３２の処理は、Ａボタン３６が押されてＳ２０でＹＥＳと判定されるか、Ｓ３２でＹＥＳと判定されるまで繰り返し行われる。
Ｓ３２でＮＯと判定された場合、体動判定部１７４は、処理をＳ１５に進める。これにより、脈拍レベルの判定が再度行われる。
一方、Ｓ３２でＹＥＳと判定された場合、ユーザーが運動を止めたと判断できるため、体動判定部１７４は、所定情報表示条件に該当したと判定し、処理をＳ２１に進める。これにより、脈拍レベル表示処理が終了する。
なお、Ｓ３１，Ｓ３２の判定処理では、体動状態の替わりに、電子時計１Ａがタップされたか否かを判定するようにしてもよい。
第２実施形態におけるその他の構成は、第１実施形態と同様である。
【００５８】
［第２実施形態の作用効果］
第２実施形態によれば、第１実施形態と同様の構成により、同様の作用効果を得ることができる。さらに、次の作用効果を得ることができる。
ユーザーが運動を開始した場合に、ユーザーがＡボタン３６を押さなくても、自動的に脈拍レベルを表示でき、ユーザーが運動を止めた場合に、ユーザーがＡボタン３６を押さなくても、自動的に脈拍レベルの表示を終了し、秒を表示できる。このため、電子時計１Ａの使い易さを向上できる。
また、ユーザーが電子時計１Ａを使用していないときは、脈拍レベルは表示されず、脈拍レベルの判定も行われないため、消費電力を確実に低減できる。
【００５９】
［第３実施形態］
第３実施形態では、脈拍レベルに加えて、脈拍数も表示される。
以下、第３実施形態について説明するが、第１実施形態と同じ構成については同じ符号を付けて説明は省略する。
【００６０】
図１４に示すように、第３実施形態の電子時計１Ｂの制御装置１７Ｂは、脈拍センサー１９を作動させて脈拍数を判定する脈拍数判定部１７５を備えている。
そして、第３実施形態における脈拍レベル表示処理では、図１５に示すように、Ｓ１１〜Ｓ２１，Ｓ５０の処理が実行される。Ｓ１１〜Ｓ２１は、第１実施形態と同じため、説明は省略する。
第３実施形態の脈拍レベル表示処理では、Ｓ１６で脈拍レベルが判定された後、Ｓ２０でＡボタン３６が押されたか否かの判定が行われる前に、脈拍数判定表示処理Ｓ５０が行われる。
【００６１】
図１６は、脈拍数判定表示処理Ｓ５０を示すフローチャートである。
脈拍数判定表示処理Ｓ５０が実行されると、モード設定部１７１は、Ｂボタン３７が押されたか否かを判定する（Ｓ５１）。
Ｓ５１でＮＯと判定された場合、モード設定部１７１は、脈拍数判定表示処理Ｓ５０を終了し、処理をＳ２０に進める。
【００６２】
一方、Ｓ５１でＹＥＳと判定された場合、すなわち、Ｂボタン３７が押され、脈拍数表示操作が行われた場合、モード設定部１７１は、脈拍数表示モードを設定する。
そして、脈拍数判定部１７５は、脈拍センサー１９から出力される脈拍信号を解析して、脈拍数を算出する（Ｓ５２）。
ここでの脈拍数の算出は、脈拍数を１拍単位で表示できるように、脈拍レベルを判定する場合と比べて、周波数解析の分解能を高くして脈拍数が算出される。
具体的には、例えば、図７の表の一番下の行に示すように、脈拍数分解能を約０．９３に設定し、サンプリング周波数ｆｓを６４Ｈｚ、計測時間を６４秒に設定する。この場合は、０〜２４０の脈拍数の範囲を、２５６段階で表示できるため、脈拍数を１拍単位で正しく表示できる。
【００６３】
次に、表示制御部１７３は、算出された脈拍数に応じて時針２６、分針２７、秒針２８を制御して、算出された脈拍数を表示させる（Ｓ５３）。
具体的には、時針２６によって脈拍数の百の位の値が表示され、分針２７によって脈拍数の十の位の値が表示され、秒針２８によって脈拍数の一の位の値が表示される。各指針は、０から１１までの時の値を示す位置のうち、位の値と対応する時の値を示す位置を指示することで、位の値を表示する。例えば、脈拍数が１３５の場合、図１７に示すように、時針２６が１時位置を指示し、分針２７が３時位置を指示し、秒針２８が５時位置を指示する。本実施形態では時分針が同じステップモーターで駆動されるため、時分針によって１時１５分の位置を示すことで、時針２６が１時位置を指示し、分針２７が３時位置を指示したこととしている。
【００６４】
次に、モード設定部１７１は、Ｂボタン３７が押されたか否かを判定する（Ｓ５４）。Ｓ５４でＹＥＳと判定された場合、モード設定部１７１は、脈拍数表示モードを解除し、脈拍レベル表示モードを設定して、脈拍数判定表示処理Ｓ５０を終了する。そして、処理を、ステップＳ２０に進める。
一方、Ｓ５４でＮＯと判定された場合、モード設定部１７１は、Ａボタン３６が押されたか否かを判定する（Ｓ５５）。Ｓ５５でＮＯと判定された場合、モード設定部１７１は、脈拍数表示モードを継続し、処理をＳ５２に戻す。これにより、脈拍数算出処理が再度行われる。一方、Ｓ５５でＹＥＳと判定された場合、モード設定部１７１は、脈拍数表示モードを解除し、時刻表示モードを設定して、脈拍数判定表示処理Ｓ５０を終了する。そして、処理を、ステップＳ２０に進める。この場合、Ａボタン３６が押されているため、Ｓ２０でＹＥＳと判定され、脈拍レベル表示処理は終了する。
なお、脈拍数判定表示処理Ｓ５０では、Ｂボタン３７が押されたか否かを判定する替わりに、電子時計１Ｂがタップされたか否かを判定するようにしてもよい。
第３実施形態におけるその他の構成は、第１実施形態と同様である。
【００６５】
［第３実施形態の作用効果］
第３実施形態によれば、第１実施形態と同様の構成により、同様の作用効果を得ることができる。さらに、次の作用効果を得ることができる。
電子時計が、時針２６、分針２７、秒針２８を備えていれば、脈拍数を表示するための表示機構を別途設ける必要がないため、電子時計の構成を簡略化でき、脈拍数を表示する電子時計を容易に製造できる。
【００６６】
［他の実施形態］
なお、本発明は前述の実施形態に限定されるものではなく、本発明の目的を達成できる範囲での変形、改良等は本発明に含まれるものである。
【００６７】
上記各実施形態では、脈拍レベル判定部１７２は、０〜２４０の脈拍数を等間隔で１２段階に分けた脈拍レベルを判定しているが、本発明はこれに限定されない。
例えば、脈拍レベル判定部１７２は、図１８に示す脈拍数と脈拍レベルとの関係に基づいて、０〜２４０の脈拍数を等間隔で６段階に分けた脈拍レベルを判定してもよい。図１８の例では、０〜２４０の脈拍数が、等間隔で６段階の脈拍レベル「０」〜「５」に分けられている。これによれば、１２段階の脈拍レベルを判定する場合と比べて、脈拍数分解能を低くできるため、判定にかかる消費電力を低減できる。
【００６８】
また、脈拍レベル判定部１７２は、図１９に示す脈拍数と脈拍レベルとの関係に基づいて、０〜２４０の脈拍数を等間隔で６０段階に分けた脈拍レベルを判定してもよい。図１９の例では、０〜２４０の脈拍数が、等間隔で６０段階の脈拍レベル「０」〜「５９」に分けられている。この場合、秒針２８は、０から５９までの秒の値を示す位置のうち、脈拍レベルと対応する秒の値を示す位置を指示することで、脈拍レベルを表示する。例えば、脈拍レベルが「０」の場合は、０秒位置を指示し、脈拍レベルが「１」の場合は、１秒位置を指示し、脈拍レベルが「５９」の場合は、５９秒位置を指示する。これによれば、１２段階の脈拍レベルを判定する場合と比べて、脈拍レベルを細かく表示できる。
【００６９】
また、脈拍レベル判定部１７２は、図２０に示す脈拍数と脈拍レベルとの関係に基づいて、０〜２４０の脈拍数を異なる間隔で６段階に分けた脈拍レベルを判定してもよい。図２０の例では、０〜２４０の脈拍数が、異なる間隔で６段階の脈拍レベル「０」〜「５」に分けられている。例えば、１０１〜１６０の脈拍数の範囲は、２０拍間隔で分けられ、その他の範囲は、４０拍や６０拍や８０拍間隔で分けられている。このような重み付けをすることで、脈拍レベルの段数が同じ場合、脈拍数が等間隔となるように脈拍レベルが設定されている場合と比べて、特定の脈拍数の範囲において、脈拍レベルを細かく表示させることができる。
例えば、健康維持を目的として脈拍レベルを表示させる場合は、図２０に示すように、１２０拍前後（最大脈拍数の４０％〜６５％程度）で脈拍レベルが細かくなるように、脈拍レベルが設定されることが好ましい。
【００７０】
上記各実施形態では、秒針２８が脈拍レベルを表示しているが、本発明はこれに限定されない。
例えば、時針２６や分針２７が脈拍レベルを表示してもよい。
また、電子時計が副針を備える場合は、当該副針によって脈拍レベルを表示してもよい。この場合は、脈拍レベルと同時に、指針２６〜２８によって、時分秒を表示できる。
【００７１】
図２１は、副針５１によって脈拍レベルを表示する表示例である。
副針５１は、例えば、文字板１２の平面中心から外周方向に設けられた指針軸に取り付けられている。
図２１の例では、副針５１は、所定情報として、夏時間の設定と、電池残量を表示可能に構成されている。
以下、副針５１の回転領域の外周の表記について説明するが、「ｎ時方向」（ｎは任意の自然数）とあるのは、副針５１の指針軸から回転領域の外周を見たときの方向である。
副針５１の回転領域の６時方向から７時方向の範囲の外周には、「ＤＳＴ」の英字と「○」の記号が表記されている。ＤＳＴ（daylight saving time）は夏時間を意味する。副針５１は、これらの英字と記号を指示することで、夏時間（ＤＳＴ：夏時間ＯＮ、○：夏時間ＯＦＦ）の設定を表示する。
副針５１の回転領域の８時方向から９時方向までの範囲の外周には、９時方向の基端が太く、８時方向の先端が細い三日月鎌状の記号である電池インジケーター５２が表記されている。電池インジケーター５２における電池残量に応じた位置を副針５１が指示することで電池残量が表示される。
具体的には、副針５１は、電池残量を予め設定された３段階で表示する。副針５１は、電池インジケーター５２の基端を指示することで、電池残量が３段階のうち最大であることを表示し、先端を指示することで、電池残量が３段階のうち最小であることを表示し、基端と先端の中間点を指示することで、電池残量が３段階のうち中間であることを表示する。
また、副針５１の０時方向の外周には、「Ｎ」の英字が表記され、１時方向から６時方向までの範囲の外周には、「０」〜「５」の数字が等間隔で表記されている。「Ｎ」は、脈拍数の算出に失敗したことを表し、「０」〜「５」は、脈拍レベルを表す。
【００７２】
この表示例では、副針５１の１周のステップ数は、夏時間の設定と、電池残量を表示するため、６０に設定されている。
なお、夏時間の設定と電池残量を表示するためだけならば、前記ステップ数を、例えば、２０ステップ程度に設定することも可能であるが、他の表示にも対応できるようにしてムーブメントに汎用性を持たせることも考慮し、前記ステップ数は、６０に設定されている。
そして、脈拍レベルの段階数は、６０以下である６に設定されている。
表示制御部１７３は、時刻表示モードでは、副針５１に電池残量を表示させ、脈拍レベル表示モードが設定されると、副針５１に「０」〜「５」のうち、判定された脈拍レベルに対応した数字を指示させることで、脈拍レベルを表示させる。また、脈拍数の算出に失敗した場合は、副針５１に「Ｎ」を指示させる。
これによれば、副針５１が脈拍レベルを表示するための指示領域を移動する場合のステップ数（２５ステップ）が、脈拍レベルの段階数よりも多いため、副針５１によって脈拍レベルを表示できる。
このため、副針５１が夏時間の設定および電池残量のみを表示する電子時計が既に存在する場合、脈拍レベルを表示するための専用の指針を新たに設けたり、副針５１を駆動する輪列の構成を変更することなく、脈拍レベルを表示させることができる。
なお、「Ｎ」、「０」〜「５」の表記は、副針５１の０時方向から６時方向までの範囲の外周ではなく、例えば、図２２に示すように、９時方向から３時方向までの範囲の外周に表記されていてもよい。
【００７３】
図２３は、副針５１Ａによって脈拍レベルを表示する他の表示例である。
図２３に示す例では、副針５１Ａは、所定情報として、曜日を表示可能に構成されている。
副針５１Ａの回転領域の０時方向から６時方向の範囲の外周には、七曜を示す、「Ｓ」、「Ｍ」、「Ｔ」、「Ｗ」、「Ｔ」、「Ｆ」、「Ｓ」の英字が表記されている。副針５１Ａは、曜日に応じた英字を指示することで、曜日を表示する。
また、副針５１Ａの６時方向の外周には、「Ｎ」の英字が表記され、７時方向から０時方向までの範囲の外周には、「０」〜「５」の数字が等間隔で表記されている。「Ｎ」は、脈拍数の算出に失敗したことを表し、「０」〜「５」は、脈拍レベルを表す。
【００７４】
この表示例では、副針５１Ａの１周のステップ数は、曜日を表示するため、６０に設定されている。
なお、七曜を示す「Ｓ」〜「Ｓ」の英字を指示するだけならば、前記ステップ数を、例えば、１６ステップ程度に設定することも可能であるが、他の表示にも対応できるようにしてムーブメントに汎用性を持たせることも考慮し、前記ステップ数は、６０に設定されている。
そして、脈拍レベルの段階数は、６０以下である６に設定されている。
表示制御部１７３は、時刻表示モードでは、副針５１Ａに曜日を表示させ、脈拍レベル表示モードが設定されると、副針５１Ａに「０」〜「５」のうち、判定された脈拍レベルに対応した数字を指示させることで、脈拍レベルを表示させる。また、脈拍数の算出に失敗した場合は、副針５１Ａに「Ｎ」を指示させる。
これによれば、副針５１Ａが脈拍レベルを表示するための指示領域を移動する場合のステップ数（２５ステップ）が、脈拍レベルの段階数よりも多いため、副針５１Ａによって脈拍レベルを表示できる。
このため、副針５１Ａが曜日のみを表示する電子時計が既に存在する場合、脈拍レベルを表示するための専用の指針を新たに設けたり、副針５１Ａを駆動する輪列の構成を変更することなく、脈拍レベルを表示させることができる。
なお、「Ｎ」、「０」〜「５」の表記は、副針５１Ａの６時方向から０時方向までの範囲の外周ではなく、例えば、９時方向から３時方向までの範囲の外周に表記されていてもよい。
【００７５】
また、電子時計が副針を備える場合、秒針２８によって脈拍レベルを表示し、副針によって脈拍数を表示させてもよい。また、副針によって、脈拍数の計測時間、消費カロリー、最大酸素摂取量、体温、睡眠の質、歩数、気圧、方位、高度、血圧、血糖値、血中酸素飽和度などの情報を表示させてもよい。これらの情報は、秒針２８が脈拍レベルを表示している期間だけ表示されてもよいし、常時表示されていてもよい。または、脈拍レベルの表示とは独立して表示されていてもよい。ただし、特に、消費カロリーや歩数などは、ユーザーが脈拍レベルと同時に確認したいと考える場合があるため、脈拍レベル表示モードが設定された場合に、脈拍レベルと同時に表示されることが好ましい。
【００７６】
上記各実施形態および上記他の実施形態では、３６０度回転する指針によって脈拍レベルが表示されているが、本発明はこれに限定されない。例えば、所定の角度範囲を往復運針する指針によって脈拍レベルを表示してもよい。この場合、指針が指示領域を移動する場合のステップ数は、角度範囲の一方の端から、他方の端まで移動し、さらに、一方の端まで移動する場合のステップ数となる。
【００７７】
上記第３実施形態では、脈拍レベル表示モードが設定されている場合に、Ｂボタン３７が押されると、脈拍数表示モードが設定されるが、本発明はこれに限定されない。すなわち、時刻表示モードが設定されている場合に、Ｂボタン３７が押されると、脈拍数表示モードが設定されるようにしてもよい。
【００７８】
上記第３実施形態では、時針２６、分針２７、秒針２８によって、脈拍数が表示されるが、本発明はこれに限定されない。例えば、図２４に示すように、カレンダー車２９に脈拍数を表す数字を表記し、当該カレンダー車２９によって脈拍数を表示するようにしてもよい。
【００７９】
上記各実施形態において、電子時計は、Bluetooth（登録商標）やWi-Fi（登録商標）などの無線通信機能を備えていてもよい。この場合、電子時計は、算出した脈拍数や、判定した脈拍レベルなどの情報を、当該無線通信機能によって、多機能携帯電話（スマートフォン）や携帯型ＰＣ（パーソナルコンピューター）などの外部機器に送信するようにしてもよい。この場合、電子時計は、情報を保存しておく必要がないため、記憶装置の規模を小さくでき、電子時計を小型化できる。
【００８０】
上記各実施形態では、電子機器として電子時計を例示しているが、本発明はこれに限定されない。すなわち、指針を備える電子機器であれば適用できる。
【符号の説明】
【００８１】
１，１Ａ，１Ｂ…電子時計（電子機器）、１２…文字板、１３…太陽電池、１４…駆動機構、１７，１７Ａ，１７Ｂ…制御装置、１８…加速度センサー、１９…脈拍センサー、１９Ａ…ＬＥＤ、１９Ｂ…フォトダイオード、２１…二次電池、２６…時針、２７…分針、２８…秒針、３６…Ａボタン、３７…Ｂボタン、４１…計時装置、４２…記憶装置、４３…操作装置、４４…表示装置、４５…充電回路、５１，５１Ａ…副針、１４１…ステップモーター、１７１…モード設定部、１７２…脈拍レベル判定部、１７３…表示制御部、１７４…体動判定部、１７５…脈拍数判定部。
【図１】
2018007887.tif 000003
【図２】
2018007887.tif 000004
【図３】
2018007887.tif 000005
【図４】
2018007887.tif 000006
【図５】
2018007887.tif 000007
【図６】
2018007887.tif 000008
【図７】
2018007887.tif 000009
【図８】
2018007887.tif 000010
【図９】
2018007887.tif 000011
【図１０】
2018007887.tif 000012
【図１１】
2018007887.tif 000013
【図１２】
2018007887.tif 000014
【図１３】
2018007887.tif 000015
【図１４】
2018007887.tif 000016
【図１５】
2018007887.tif 000017
【図１６】
2018007887.tif 000018
【図１７】
2018007887.tif 000019
【図１８】
2018007887.tif 000020
【図１９】
2018007887.tif 000021
【図２０】
2018007887.tif 000022
【図２１】
2018007887.tif 000023
【図２２】
2018007887.tif 000024
【図２３】
2018007887.tif 000025
【図２４】
2018007887.tif 000026